(57)【要約】      （修正有）【課題】消火栓、給水車、その他の給水管のそれぞれの開口に取付けられる接続管であって、この接続管を介して、ホース、その他の給水栓等の何れかの受け口を接続可能とした緊急時用給水装置を提供する。【解決手段】消火栓Ｆ、給水栓、又は給水管２０と、この消火栓Ｆ、この給水栓、又はこの給水管２０の第１給水口に繋ぐ第２給水口を有する接続管１と、この接続管１の第２給水口に連設した第３給水口を有する緊急用の本管と、この本管の一つから複数の第４給水口に連設した第５給水口を有する蛇口、又は開閉弁を備えたホースと、を含む。接続管１は受け金具２とホルダーで構成され、受け金具２には第１ハンドル６を設けている。【選択図】図２−１
0003224603.tif 000002
【実用新案登録請求の範囲】
【請求項１】
消火栓、給水栓、又は給水管と、この消火栓、この給水栓、又はこの給水管の第１給水口に繋ぐ第２給水口を有する接続管と、この接続管の第２給水口に連設した第３給水口を有する緊急用の本管と、この本管の一つ〜複数の第４給水口に連設した第５給水口を有する蛇口、又は開閉弁を備えたホースと、でなる緊急時用給水装置。
【請求項２】
前記接続管は、つめ座とつめを備えた受け金具と、
この受け金具に設けた第１螺子と、
この第１螺子に螺合する第２螺子を内設したロックリングと、
このロックリングに設けたホルダーと、
を備える、消火栓、給水栓、又は給水管の何れかの接続口に取付けられる受け口金具において、
前記受け金具の内室に、嵌合、取付け、又は差込み支持される前記消火栓か、前記その他の給水栓とか、又はホースの接続口に設けた押輪、受けリング、その他の金具の何れかに取付けられ接続金物と、この接続金物と前記ホルダーの間に設けた止水手段と、で構成した請求項１に記載の緊急時用給水栓。
【請求項３】
前記接続管は、つめ座とつめを備えた受け金具と、
この受け金具に設けた第１螺子と、
この第１螺子に螺合する第２螺子を内設した締め輪と、
を備える、消火栓、給水栓、又は給水管の何れかの接続口に取付けられる受け金具と、
この受け金具に設けたパッキンと、で構成した町野式である請求項１に記載の緊急時用給水栓。
【請求項４】
前記接続管は、雄雌式で、かつパッキンと、開閉ハンドルを備えたカムロック手段で構成した請求項１に記載の緊急時用給水栓。
【請求項５】
前記第１ハンドルと、前記第２ハンドルを、異方向に回転することで、前記止水手段を圧接する構成とした請求項１に記載の緊急時用給水栓。
【考案の詳細な説明】
【技術分野】
【０００１】
本考案は、消火栓、給水車、その他の給水管のそれぞれの開口に取付けられる接続管であって、この接続管を介して、ホース、その他の給水栓等の何れかの受け口を接続可能とした緊急時用給水栓に関する。
【背景技術】
【０００２】
従来、緊急時用給水栓の受け口（受け金具）に関し、市場では、町野式カップリングが重宝されている。この町野式カップリングの利用とか、改良に関する文献として、下記のものが挙げられる。
【０００３】
先ず、実用新案登録第３１１４８７４号公報（文献１）において、地下式消火栓、或いは地上式消火栓の給水口に接続金具を使って分岐管を結合する構造が開示されている。即ち、この考案は、剛性の主管と、主管の下端に取付けられた、消火栓の給水口に結合固定するための接続金具と、主管の上端に、ユニオンを介して連結された剛性の分岐管と、分岐管に取付けられた複数の単水栓でなる構造に関する。
【０００４】
また、特開２０１５−１７８７５０公報（文献２）において、この考案は、災害時等で、水道施設が損傷して通常の給水ができない場合に、給水車から一般家庭等への給水を可能とする水道用三方弁並びに該三方弁を備えた水道配管構造及びメータユニットに関する。
【特許文献１】実用新案登録第３１１４８７４号公報
【特許文献２】特開２０１５−１７８７５０公報
【考案の概要】
【考案が解決しようとする課題】
【０００５】
しかしながら、従来の文献１・２を始めとして、市場では、本考案が意図する、消火栓、給水車、その他の給水管のそれぞれの開口に取付けられる接続管であって、この接続管を介して、ホース、その他の給水栓等の何れかの受け口を接続可能とした緊急時用給水栓に関しては、望ましい構造が提供されていないと考えられる。
【０００６】
さらに、文献２は、町野式カップリングを採用した三方切換え弁であるが、構造が複雑であり、緊急時での対応に躊躇することが考えられる。
【課題を解決するための手段】
【０００７】
そこで、本考案は、１）  低圧で、例えば、給水車の受け口に差込み、使用しても漏れない、ハンドル締込みを用いた止水手段を利用する受け口金具、即ち、緊急時用給水栓の提供と、２）  給水車、消火栓等への取付けで、簡易に、かつ直ちに使用可能な、緊急時用給水栓の提供と、にある。
【０００８】
上記に鑑み、次の請求項１〜請求項５の好ましい各一例の提供である。
【０００９】
請求項１においては、
消火栓、給水栓、又は給水管と、この消火栓、この給水栓、又はこの給水管の第１給水口に繋ぐ第２給水口を有する接続管と、この接続管の第２給水口に連設した第３給水口を有する緊急用の本管と、この本管の一つ〜複数の第４給水口に連設した第５給水口を有する蛇口、又は開閉弁を備えたホースと、でなる緊急時用給水装置とした。
【００１０】
請求項２においては、
前記接続管は、つめ座とつめを備えた受け金具と、
この受け金具に設けた第１螺子と、
この第１螺子に螺合する第２螺子を内設したロックリングと、
このロックリングに設けたホルダーと、
を備える、消火栓、給水栓、又は給水管の何れかの接続口に取付けられる受け口金具において、
前記受け金具の内室に、嵌合、取付け、又は差込み支持される前記消火栓か、前記その他の給水栓とか、又はホースの接続口に設けた押輪、受けリング、その他の金具の何れかに取付けられ接続金物と、この接続金物と前記ホルダーの間に設けた止水手段と、でなる緊急時用給水栓とした。
【００１１】
請求項３においては
前記接続管は、つめ座とつめを備えた受け金具と、
この受け金具に設けた第１螺子と、
この第１螺子に螺合する第２螺子を内設した締め輪と、
を備える、消火栓、給水栓、又は給水管の何れかの接続口に取付けられる受け金具と、
この受け金具に設けたパッキンと、でなる町野式の緊急時用給水栓とした。
【００１２】
請求項４においては
前記接続管は、雄雌式で、かつパッキンと、開閉ハンドルを備えたカムロック手段でなる緊急時用給水栓とした。
【００１３】
請求項５においては
前記第１ハンドルと、前記第２ハンドルを、異方向に回転することで、前記止水手段を圧接する緊急時用給水栓とした。
【図面の簡単な説明】
【００１４】
【図１−１】第１実施例の北川式の受け口漏水防止用の受け口金具の一部を断面視した拡大平面図
【図１−２】第１実施例の図１の要部の拡大断面図
【図１−３】第１実施例の図１から受け金具とホルダーを締め付けた状態の一部を示した拡大参考平面図
【図２−１】第１実施例の消火栓に取付けた状態の一例を示した参考斜視図
【図２−２】第１実施例の給水車に取付けた状態の一例を示した参考斜視図
【図３−１】第１実施例の受け口漏水防止用の受け口金具と給水管、及び給水栓の関係を示した平面図
【図３−２】第１実施例の図３−１の側面図
【図４−１】第１実施例の受け口漏水防止用の受け口金具の操作方法であって、差込み時の状況の拡大俯瞰図
【図４−２】第１実施例の図４−１の差込み後の締付け状態の俯瞰図
【図５】第１実施例の北川式の要部の拡大側面図
【図６−１】第２実施例の町野式の要部の拡大側面図
【図６−２】図６−１の要部の拡大断面図
【図７−１】第３実施例のカムロック式の要部の拡大側面図
【図７−２】図７−１の要部の拡大断面図
【図８−１】第４実施例の町野式の要部の拡大側面図
【図９−１】第５実施例の町野式の要部の拡大側面図
【図１０−１】第６実施例の町野式の要部の拡大側面図
【考案を実施するための形態】
【００１５】
以下、本考案の一実施例を説明する。この一実施例は、好ましい一例であり、後述する説明、添付した図面に限定されない。従って、考案の趣旨の範囲において構成の一部を変更する構造とか、同じ特徴と効果を達成できる構造、等は、本考案の範疇である。
【００１６】
●  図１〜図４−２に示した北川式の第１実施例に関して説明する。図１−１と図１−２において、図中１は接続管で、この接続管１は受け金具２とホルダー１０で構成されている。この受け金具２の接続口２００には、消火栓Ｆか、給水車Ｃ等の給水口金Ｂが差込まれる。そして、この受け金具２の内室２０１の開口壁面２２（接続口２００の内壁）には、内室２０１内に突出するつめ３と、このつめ３に隣設するつめ座４とが複数個設けられている。
【００１７】
尚、受け金具２は、環状の本体２ａと、この本体２ａより延設した薄肉筒部２ｂでなり、この筒部２ｂの先端には内向きの突条２０２を備えている。この本体２ａの外周壁面には、第１ハンドル６が設けられている。また、筒部２ｂの外周壁面には、第１螺子７が設けられている。
【００１８】
また、受け金具２には第１ハンドル６を設けているが一例であり、受け金具２に外嵌（例えば螺着）されるカバーに、第１ハンドル（６）を設けることも、本考案の範疇内である。この実施形態では、ハンドル付きの新規の受け金具２を製造しなくても、既存の受け金具（図示しない）を流用して第１ハンドル（６）を装備することが可能になり、材料費の節約や応用性の点で有利である。
【００１９】
図１−１〜図１−３において、図中１０は前記受け金具２の内室２０１の筒部２ｂの開口先部に挿設される接続管１の一部を担っている筒体のホルダーで、このホルダー１０の下端外周壁面には、前記受け金具２に設けた突条２０２が係止される突条５が膨出形成されている。そして、この突条５には、止水用のＯリング１１（止水手段）が挿設される溝１２が囲繞するように形成されている。Ｏリング１１は溝１２に設けられており、適宜の加圧力で挿設されているが、接着剤等の他の好適な方法で固定することも当然可能である。そして、受け金具２の内室２０１に、ホースＡ等の接続口に設けた（備わった）押輪、受けリング、その他の金具の何れかの接続金物１３が差し込まれた状態で、この接続金物１３の開口リング面１３００（差込み金具）はＯリング１１に接触、かつ圧接される（後述する）構造である。即ち、開口リング面１３００とＯリング１１は、止水手段として機能する。また、ホルダー１０の外周壁面の一方には第３螺子１０００が刻設されている。前記ホルダー１０の突条５は、溝１２を形成するための領域確保と、ホルダー１０の突条５による受け金具２の突条２０２の留置き、かつ受け金具２とホルダー１０の連繋確保等にある。尚、Оリング１１はゴム製、樹脂製、又は金属製の何れでも対応可能であり、例えば、ゴム製が理想である。また、Оリング１１は、ｕリング、ｖリング、デルタリング、略コの字形、その他の形状のパッキン、シール（シール機能を備えた止水手段）でも可能である。
【００２０】
そして、このホルダー１０の外周壁面の他方（一方に続いた箇所）には、環状筒体のロックリング１４が組付け一体化されており、かつロックリング１４の内周壁面には第２螺子１４００が形成されている。この第２螺子１４００は前記第１螺子７に噛合する。また、このロックリング１４の外周壁面には第２ハンドル１５を備える。図中１６はキーで、このキー１６を利用して、ホルダー１０とロックリング１４を固定する。
【００２１】
次に本考案の作用を説明すると、図１−１と図１−２と、図２−１とか、図４−１、図４−２において、受け金具２を消火栓Ｆの開口の給水口金Ｂ（接続金物１３に相当）に取付ける。この給水口金Ｂは、内室２０１に差し込まれるとともに、そのフランジがつめ３を押し込み、押し込み終了時に復帰し、フランジをロックする。この所作で、図示のように、消火栓Ｆ等の給水口金Ｂには、本考案の受け口漏水防止用の受け口金具が取付けられる。また、緊急用の給水栓２０（給水管）を取付けるには、給水栓２０の本体２０００の接続口２００１に設けられている螺子部２００２に、ホルダー１０の第３螺子１０００を螺合する。
【００２２】
前述した受け金具２の消火栓Ｆの給水口金Ｂ（接続金物１３に相当）への取付けと、ホルダー１０を、緊急用の給水栓２０への取付ける操作で、消火栓Ｆ（図２−１参照）や給水車Ｃ（図２−２参照）と、給水栓２０とが、本考案の受け口漏水防止用の受け口金具を介して接続される。
【００２３】
この取付け時の所作（作業）は、図４−１、及び図４−２の一例がある。例えば、図４−１のように、消火栓Ｆに対して、第１ハンドル６を右側（時計方向）に回し、第２ハンドル１５を左側（反時計方向）に回し、第１螺子７と第２螺子１４００とを噛み合わせの最初の位置（図１−２参照）とする。換言すると、第１ハンドル６と、第２ハンドル１５は弛緩状態となり、例えば、受け金具２と、ホルダー１０が、互いに反対峙方向（図４−１の矢視Ｘ・Ｙ方向）に移動する。即ち、受け金具２とホルダー１０が、所定の間隔となった状態である。その後、受け金具２を、消火栓Ｆの差込み金具（図示しない）に差し込むと、差込み金具は、つめ３とつめ座４に嵌合支持されて固止される。一方、ロックリング１４を介して、ホルダー１０の第３螺子１０００が、緊急給水栓２０の螺子部２００２に螺合し始める。
【００２４】
そこで、例えば、図４−２のように、第１ハンドル６を、左側（反時計方向）に回し、第２ハンドル１５を右側（時計方向）に回し、第１螺子７と第２螺子１４００との噛み合わせを進んだ位置（図１−３参照）とする。換言すると、第１ハンドル６と、第２ハンドル１５は緊張状態となり、受け金具２の途上とホルダー１０の間隔が縮んだ状態となる。即ち、受け金具２の突条２０２とホルダー１０の突条５が離間した状態で、例えば、受け金具２と、ホルダー１０が、互いに対峙方向（図４−２の矢視Ｙ・Ｘ方向）に、それぞれ前進し、例えば、Оリング１１は、接続金物１３の開口リング面１３００に圧接される。この圧接が止水手段である。また、つめ３により、差込み金具との強固な係止が図れる。尚、この止水状態では、例えば、一例として、この図２−２の如く、給水車Ｃに取付けた状態において、従来、問題となっている漏水の危険性が回避される。一例として、この図１−３と、図４−１、図４−２が特徴である。
【００２５】
●  以下、第２・第３実施例では、第１実施例と共通する部材とか構造等に関しては、同じ名称とか符号を用いる。
【００２６】
●  図６−１と図６−２に示した町野式の第２実施例に関して説明する。６−１と図６−２において、接続管１の構造は、受け金具２の接続口２００（開口）の内壁には、つめ３と、つめ座４を設ける。受け金具２には締め金具３０が螺嵌支持されており、ホースＡが付設されている。そして、受け金具２に設けた第１螺子７と、締め金具３０に設けた第２螺子１４００の螺合を利用して、消火栓Ｆの給水栓２０の接続口２００１に取付けられる。取付け方法は、前述の北川式に準ずる。尚、接続管１の一部は、ホルダー１０とか、代替金具として、例えば、従来の繋ぐ金具、即ち、接続金具３１（雄・雌金具）で対応することも可能である。
【００２７】
●  図７−１と図７−２に示したカムロック式の第３実施例に関して説明する。図７−１と図７−２において、開口に取付けられる接続管１の構造は、受け金具２を、雄・雌型のカムロック式とする。即ち、ハンドルを備えた雌型カムロック３２と、差込み口形態の雄型カムロック３３であり、その内、本体２０００に設けた雄型カムロック３３を、雌型カムロック３２の差込み口に差込み、続いてハンドルを操作して固定する。これにより、雄・雌型カムロック式３３、３２で、本体２０００に接続管１が取付けられる。その他は、前述の第１・第２に準ずる。
【００２８】
●  図８−１に示した、地下式消火栓に取付けたスタンドパイプの接続口２００１（開口）に、町野式の接続管１を接続する第４実施例の一例であって、所謂、図６−１と図６−２に示した一例に準ずる構造であって、接続管１の構造は、受け金具２の接続口２００の内壁には、つめ３と、つめ座４を設ける構造である。この第４実施例において、その他は、図６−１等に準ずる。
【００２９】
●  図９−１に示した、給水車用給水栓（商品名ＭОＲ−Ｉ）の開口に接続した町野式の接続管１を接続する第５実施例の一例であって、所謂、図６−１と図６−２に示した一例に準ずる構造であって、給水栓２０の接続口２００１の内壁には、つめ３と、つめ座４を設ける構造である。この第５実施例において、その他は、図６−１、図６−２と図８−１等に準ずる。
【００３０】
●  図１０−１に示した、給水車・給水タンクの給水栓の開口に接続した町野式の接続管１を接続する第６実施例の一例であって、図２−２に示した一例に準ずるその他の構造であって、給水栓２０の接続口２００１の内壁には、つめ３と、つめ座４を設ける構造である。この第６実施例において、その他は、図６−１、図６−２と図９−１等に準ずる。
【００３１】
以上で、各実施例をそれぞれ説明したが、各接続口２００、２００１（開口）に接続される接続管１は、前述の北川式、町野式、又はカムロック式に限定されず、かつ市井における全ての接続管１等を利用できることは勿論であり、使用目的とか、圧力等の諸条件により選択採用する。
【符号の説明】
【００３２】
１  接続管
２  受け金具
２ａ  本体
２ｂ  筒部
２００  接続口
２０１  内室
２０２  突条
３  つめ
３  つめ座
５  突条
６  第１ハンドル
７  第１螺子
１０  ホルダー
１０００  第３螺子
１１  Ｏリング
１２  溝
１３  接続金物
１３００  開口リング面
１４  ロックリング
１４００  第２螺子
１５  第２ハンドル
１６  キー
２０  給水管
２０００  本体
２００１  接続口
２００２  螺子部
２２  開口壁面
３０  締め金具
３１  接続金具
３２  雌型カムロック
３３  雄型カムロック
Ｆ  消火栓
Ａ  ホース
Ｂ  給水口金
Ｃ  給水車
【図１−１】
0003224603.tif 000003
【図１−２】
0003224603.tif 000004
【図１−３】
0003224603.tif 000005
【図２−１】
0003224603.tif 000006
【図２−２】
0003224603.tif 000007
【図３−１】
0003224603.tif 000008
【図３−２】
0003224603.tif 000009
【図４−１】
0003224603.tif 000010
【図４−２】
0003224603.tif 000011
【図５】
0003224603.tif 000012
【図６−１】
0003224603.tif 000013
【図６−２】
0003224603.tif 000014
【図７−１】
0003224603.tif 000015
【図７−２】
0003224603.tif 000016
【図８−１】
0003224603.tif 000017
【図９−１】
0003224603.tif 000018
【図１０−１】
0003224603.tif 000019
【手続補正書】
【提出日】令和1年10月30日(2019.10.30)
【手続補正１】
【補正対象書類名】実用新案登録請求の範囲
【補正対象項目名】全文
【補正方法】変更
【補正の内容】
【実用新案登録請求の範囲】
【請求項１】
消火栓、給水栓、又は給水管と、この消火栓、この給水栓、又はこの給水管の第１給水口に繋ぐ第２給水口を有する接続管と、この接続管の第２給水口に連設した第３給水口を有する緊急用の本管と、この本管の一つ〜複数の第４給水口に連設した第５給水口を有する蛇口、又は開閉弁を備えたホースと、でなる緊急時用給水装置。
【請求項２】
前記接続管は、つめ座とつめを備えた受け金具と、
この受け金具に設けた第１螺子と、
この第１螺子に螺合する第２螺子を内設したロックリングと、
このロックリングに設けたホルダーと、
を備える、消火栓、給水栓、又は給水管の何れかの接続口に取付けられる受け口金具であり、
前記受け金具の内室に嵌合、取付け、又は差込み支持される前記消火栓、前記給水栓、前記給水管、又はホースの接続口に設けた接続金物と、この接続金物と前記ホルダーの間に設けた止水手段と、を更に備える、請求項１に記載の緊急時用給水装置。
【請求項３】
前記接続管は、つめ座とつめを備えた受け金具と、
この受け金具に設けた第１螺子と、
この第１螺子に螺合する第２螺子を内設した締め輪と、
前記受け金具に設けたパッキンと、
を備える、消火栓、給水栓、又は給水管の何れかの接続口に取付けられる町野式の受け口金具である、請求項１に記載の緊急時用給水装置。
【請求項４】
前記接続管は、雄雌式で、かつパッキンと、開閉ハンドルを備えたカムロック手段を更に備える、請求項１に記載の緊急時用給水装置。
【請求項５】
前記受け金具は第１ハンドルを備え、前記ロックリングは第２ハンドルを備え、
前記第１ハンドルと前記第２ハンドルを互いに異方向に回転することで、前記接続金物が前記止水手段を圧接する構成とした、請求項２に記載の緊急時用給水装置。
【手続補正３】
【補正対象書類名】明細書
【補正対象項目名】０００１
【補正方法】変更
【補正の内容】
【０００１】
本考案は、消火栓、給水車、その他の給水管のそれぞれの開口に取付けられる接続管であって、この接続管を介して、ホース、その他の給水栓等の何れかの受け口を接続可能とした緊急時用給水装置に関する。
【手続補正４】
【補正対象書類名】明細書
【補正対象項目名】０００２
【補正方法】変更
【補正の内容】
【０００２】
従来、緊急時用給水装置の受け口（受け金具）に関し、市場では、町野式カップリングが重宝されている。この町野式カップリングの利用とか、改良に関する文献として、下記のものが挙げられる。
【手続補正５】
【補正対象書類名】明細書
【補正対象項目名】０００５
【補正方法】変更
【補正の内容】
【０００５】
しかしながら、従来の文献１・２を始めとして、市場では、本考案が意図する、消火栓、給水車、その他の給水管のそれぞれの開口に取付けられる接続管であって、この接続管を介して、ホース、その他の給水栓等の何れかの受け口金具を接続可能とした緊急時用給水装置に関しては、望ましい構造が提供されていないと考えられる。
【手続補正６】
【補正対象書類名】明細書
【補正対象項目名】０００７
【補正方法】変更
【補正の内容】
【０００７】
そこで、本考案は、１）  低圧で、例えば、給水車の受け口に差込み、使用しても漏れない、ハンドル締込みを用いた止水手段を利用する受け口金具、即ち、緊急時用給水装置の提供と、２）  給水車、消火栓等への取付けで、簡易に、かつ直ちに使用可能な、緊急時用給水装置の提供と、にある。
【手続補正７】
【補正対象書類名】明細書
【補正対象項目名】００１０
【補正方法】変更
【補正の内容】
【００１０】
請求項２においては、
前記接続管は、つめ座とつめを備えた受け金具と、
この受け金具に設けた第１螺子と、
この第１螺子に螺合する第２螺子を内設したロックリングと、
このロックリングに設けたホルダーと、
を備える、消火栓、給水栓、又は給水管の何れかの接続口に取付けられる受け口金具であり、
前記受け金具の内室に嵌合、取付け、又は差込み支持される前記消火栓、前記給水栓、前記給水管、又はホースの接続口に設けた接続金物と、この接続金物と前記ホルダーの間に設けた止水手段と、を更に備える、請求項１に記載の緊急時用給水装置とした。
【手続補正８】
【補正対象書類名】明細書
【補正対象項目名】００１１
【補正方法】変更
【補正の内容】
【００１１】
請求項３においては、
前記接続管は、つめ座とつめを備えた受け金具と、
この受け金具に設けた第１螺子と、
この第１螺子に螺合する第２螺子を内設した締め輪と、
前記受け金具に設けたパッキンと、
を備える、消火栓、給水栓、又は給水管の何れかの接続口に取付けられる町野式の受け口金具である、請求項１に記載の緊急時用給水装置とした。
【手続補正９】
【補正対象書類名】明細書
【補正対象項目名】００１２
【補正方法】変更
【補正の内容】
【００１２】
請求項４においては、
前記接続管は、雄雌式で、かつパッキンと、開閉ハンドルを備えたカムロック手段を更に備える、請求項１に記載の緊急時用給水装置とした。
【手続補正１０】
【補正対象書類名】明細書
【補正対象項目名】００１３
【補正方法】変更
【補正の内容】
【００１３】
請求項５においては、
前記受け金具は第１ハンドルを備え、前記ロックリングは第２ハンドルを備え、
前記第１ハンドルと前記第２ハンドルを互いに異方向に回転することで、前記接続金物が前記止水手段を圧接する構成とした、請求項２に記載の緊急時用給水装置とした。